(57)【要約】【課題】遊技領域の遊技球が見易く且つ透明遊技盤のデザイン性を向上できる遊技機を提供する。【解決手段】遊技球が流下する遊技領域を有し且つ当該遊技領域の所定箇所に前後方向に貫通した通路孔１９ｂを有する透明盤１９を備える遊技機において、遊技領域１３の通路孔１９ｂ箇所に配設され且つ遊技球が入賞可能で当該入賞球を透明盤１９の背後側に案内する普通入賞手段１８と、透明盤１９の背後側で且つ普通入賞手段１８に対応する位置に配設されるとともに前側に前面カバー４１が配設された電飾ユニット４０と、この電飾ユニット４０における前面カバー４１の後側に位置し且つ普通入賞手段１８からの遊技球を排出案内する球排出通路５０と、を備える。【選択図】図３
2014083226.tif 000002
【特許請求の範囲】
【請求項１】
遊技球が流下する遊技領域を有し且つ当該遊技領域の所定箇所に前後方向に貫通した開口を有する透明遊技盤を備える遊技機において、前記遊技領域の前記開口箇所に配設され且つ遊技球が入賞可能で当該入賞球を前記透明遊技盤の背後側に案内する入賞手段と、前記透明遊技盤の背後側で且つ前記入賞手段に対応する位置に配設されるとともに前側に装飾部が形成された装飾手段と、前記装飾手段における前記装飾部の後側に位置し且つ前記入賞手段からの遊技球を排出案内する球排出通路と、を備えることを特徴とする遊技機。
【請求項２】
前記装飾手段は、前記装飾部を、発光手段からの光が照射されることで発光可能な電飾部とした電飾手段であることを特徴とする請求項１に記載の遊技機。
【請求項３】
前記装飾手段は、少なくとも前側に前記装飾部が形成され且つ全体又は一部が可動する可動役物であることを特徴とする請求項１に記載の遊技機。
【請求項４】
前記可動役物は、前記球排出通路を有し且つ前記透明遊技盤に対して固定的位置関係にある固定側体と、前記透明遊技盤に対して変位可能に前記固定側体に支持された可動部と、を備え、前記固定側体及び前記可動部は、その少なくとも前側に前記装飾部が形成されることを特徴とする請求項３に記載の遊技機。
【請求項５】
前記球排出通路は、前記装飾部の背面の所定箇所を囲う囲い部材を前記装飾部の背面に取り付けることで、前記囲い部材と前記装飾部の背面との間に、遊技球が流下可能な球通路空間を形成するものであることを特徴とする請求項１〜４のいずれかに記載の遊技機。
【請求項６】
前記装飾手段は、前記装飾部と、前記装飾部の背面側に球通路空間を形成する通路形成部と、を備え、前記球排出通路は当該装飾手段の内部に通路形成部により形成された内部球通路であることを特徴とする請求項１〜４のいずれかに記載の遊技機。
【請求項７】
前記球排出通路は、遊技球を検出する検出手段を備えることを特徴とする請求項１〜６のいずれかに記載の遊技機。
【発明の詳細な説明】
【技術分野】
【０００１】
本発明は、パチンコ機等の遊技機に関するものである。
【背景技術】
【０００２】
パチンコ機等の遊技機では、透明遊技盤の前側に、ガイドレールで取り囲まれた遊技領域が設けられており、この遊技領域の下部側箇所に複数の入賞口が配設され、前記複数の入賞口に対応する入賞通路部材が透明遊技盤の背後にそれぞれ形成され、入賞口に入賞した遊技球が入賞通路部材によって透明遊技盤の背後側で排出案内されているものがある（特許文献１）。
【先行技術文献】
【特許文献】
【０００３】
【特許文献１】特開２０１１−２４０００２号公報
【発明の概要】
【発明が解決しようとする課題】
【０００４】
前述した遊技機では、入賞口に入賞した遊技球が透明遊技盤背後の入賞通路部材を通って排出案内される様子が透明遊技盤の前側から見えるので、透明遊技盤背後の排出案内球を、遊技領域を流下する遊技球と誤認するおそれがある。また、透明遊技盤背後の排出案内球に視線を向けてしまい、遊技領域を流下する遊技球の始動口への入賞などを見落とすこともある。つまり、遊技領域を流下する遊技球の見せ方の改善が求められる。
【０００５】
また、透明遊技盤背後の入賞通路部材も前側から見えている。特に、この入賞通路部材の当接端面  （つまり、入賞通路部材が透明遊技盤に当接することでその案内通路の両側箇所に当接形成される端面）が見えており、見栄えが悪い。そこで、例えば透明遊技盤の前面又は後面における入賞通路部材の配設箇所に、その通路形状に合わせた不透明なセルシートを貼り付ける等して、透明遊技盤の入賞通路部材を隠し、それ以外の箇所の透明性を維持することが考えられるが、この場合には入賞通路部材隠しが却って目立ってしまい外観印象に違和感を与えてしまうことから、透明遊技盤のデザイン性が劣ることに変わりはない。また、入賞通路部材の配設箇所を含む広い範囲をセルシートや入賞口の前飾り部で隠してしまうと、透明遊技盤の透明領域が大きく減少し、透明遊技盤を背後から装飾する装飾立体部品の配設領域が前記減少した透明領域箇所に制限されてしまうので、透明遊技盤の背後略全体に装飾立体部品を配設する構成に比べて透明遊技盤の装飾性が低下し、この場合も透明遊技盤のデザイン性が劣ることになる。
【０００６】
本発明は、上記事情に鑑みてなされたものであり、遊技領域の遊技球が見易く且つ透明遊技盤のデザイン性を向上できる遊技機を提供することを目的とする。
【課題を解決するための手段】
【０００７】
本発明は、遊技球が流下する遊技領域１３を有し且つ当該遊技領域１３の所定箇所に前後方向に貫通した開口１９ｂを有する透明遊技盤１９を備える遊技機において、前記遊技領域１３の前記開口１９ｂ箇所に配設され且つ遊技球が入賞可能で当該入賞球を前記透明遊技盤１９の背後側に案内する入賞手段１８と、前記透明遊技盤１９の背後側で且つ前記入賞手段１８に対応する位置に配設されるとともに前側に装飾部４１，６４，６９が形成された装飾手段４０，６４と、前記装飾手段４０，６４における前記装飾部４１，６４，６９の後側に位置し且つ前記入賞手段１８からの遊技球を排出案内する球排出通路４４，５０，５４と、を備えることを特徴とするものである。
【０００８】
なお、透明遊技盤１９としては、例えば透明樹脂により形成される透明樹脂製で全体が透明のものが挙げられる。またこれ以外に、遊技領域１３の全体又は一部箇所を透明樹脂製の透明盤とし、それ以外の箇所が不透明体（例えば、不透明樹脂製のものや、合板（ベニヤ板）により形成される木製のものなど）とした一部透明遊技盤も含まれる。また、「入賞手段１８に対応する位置」としては、透明遊技盤１９の正面視において、入賞手段１８と重なる箇所、入賞手段１８の近傍箇所又は入賞手段１８の周囲の所定箇所を含みつつ球排出通路４４，５０，５４と重なる箇所を含む位置などが挙げられる。
【０００９】
また、前記装飾手段４０，６４は、前記装飾部４１，６４，６９を、発光手段４３からの光が照射されることで発光可能な電飾部４１，６９とした電飾手段４０，７１であるとしてもよい。なお、電飾手段４０，７１としては、発光手段４３と、前記発光手段４３からの光が照射される光透過部４１，６９と、を備える構成の他、前記光透過部４１，６９に装飾表示態様が形成されているものが挙げられる。光透過部４１，６９の装飾表示態様としては、光透過部４１，６９の前面や後面に所定の形状、模様、色彩又はこれらの結合したものを形成する構成が挙げられる。また、所定の模様や色彩を施した光透過性の別部材（例えば、光透過性のシート体など）を光透過部４１，６９に取り付ける構成としてもよい。
【００１０】
また、前記装飾手段４０，６４は、少なくとも前側に前記装飾部４１，６４，６９が形成され且つ全体又は一部が可動する可動役物６０であるとしてもよい。なお、可動役物６０の装飾体６４を発光手段４３からの光で発光装飾される電飾部４１，６９としてもよい。
【００１１】
また、前記可動役物６０は、前記球排出通路４４，５０，５４を有し且つ前記透明遊技盤１９に対して固定的位置関係にある固定側体６２と、前記透明遊技盤１９に対して変位可能に前記固定側体６２に支持された可動部６１と、を備え、前記固定側体６２及び前記可動部６１は、その少なくとも前側に前記装飾部４１，６４，６９が形成される構成としてもよい。なお、前記可動部６１は、前記透明遊技盤１９の背後側で且つ前記入賞手段１８と重なる第１位置と、前記第１位置とは異なる位置であって前記透明遊技盤１９の背後側で且つ前記球排出通路４４，５０，５４と重ならない第２位置と、に変位可能であり、少なくとも前側に電飾部４１，６９を備え、前記第１位置では前記電飾部４１，６９からの光で当該入賞手段１８を発光させるとしてもよい。
【００１２】
また、前記可動役物６０は、前記球排出通路４４，５０，５４を内部に有し且つ少なくとも前側に前記装飾部４１，６４，６９が形成された本体部７０と、前記本体部７０を前記透明遊技盤１９に対して変位させる変位手段６３と、を備え、前記本体部７０は、当該球排出通路４４，５０，５４の入口であって当該透明遊技盤１９側に開口した入口部５１を前記入賞手段１８に位置させることで前記入賞手段１８からの遊技球が入賞可能であり、前記入口部５１は、前記変位手段６３による変位方向に対応した形状（例えば、直線変位の場合には直線状に長い長入口部、円弧変位の場合には円弧状に長い長入口部とする）とすることで前記本体部７０の変位の場合も前記入賞手段１８からの遊技球が入賞可能であり、前記本体部７０はその少なくとも前側と前記入口部５１とに前記装飾部４１，６４，６９が形成される構成としてもよい。
【００１３】
なお、前記透明遊技盤１９の背面側に位置し当該透明遊技盤１９が装着される装着枠体２０を備え、前記装着枠体２０は、前記装飾手段４０，６４（電飾手段４０，７１や可動役物６０であってもよい）及び前記球排出通路４４，５０，５４を備える構成としてもよい。
【００１４】
また、前記球排出通路５０は、前記装飾部４０の背面の所定箇所を囲う囲い部材５４を前記装飾部４０の背面に取り付けることで、前記囲い部材５４と前記装飾部４０の背面との間に、遊技球が流下可能な球通路空間を形成するものであるとしてもよい。
【００１５】
また、前記装飾手段４０，６４は、前記装飾部４１，６４，６９と、前記装飾部４１，６４，６９の背面側に球通路空間を形成する通路形成部４４ｂと、を備え、前記球排出通路５０は当該装飾手段４０，６４の内部に通路形成部４４ｂにより形成された内部球通路であるとしてもよい。また、前記球排出通路４４，５０，５４は、遊技球を検出する検出手段５３を備える構成としてもよい。
【発明の効果】
【００１６】
本発明によれば、遊技領域の遊技球が見易く且つ透明遊技盤のデザイン性を向上できる遊技機を提供することができる。
【図面の簡単な説明】
【００１７】
【図１】本発明の第１の実施形態を示すパチンコ機の斜視図である。
【図２】同パチンコ機の正面図である。
【図３】同じくパチンコ機の透明遊技盤の縦断面図である。
【図４】同じく透明遊技機の横断面図である。
【図５】同じく透明遊技機の電飾ユニット箇所を示す一部拡大正面図である。
【図６】第２の実施形態の透明遊技盤の電飾ユニット箇所の縦断面図である。
【図７】同じく電飾ユニットの横断面図である。
【図８】第３の実施形態のパチンコ機の正面図である。
【図９】同じく透明遊技盤の可動役物箇所の縦断面図である。
【図１０】同じく可動役物の概略斜視図である。
【図１１】第４の実施形態の透明遊技盤の可動役物箇所の断面図である。
【図１２】第５の実施形態の入賞口と可動役物との関係を示す概略斜視図である。
【図１３】同じく入賞口と可動役物との関係を示す概略正面図である。
【図１４】変形例の可動役物と入賞口との関係を示す概略正面図である。
【図１５】第６の実施形態の電飾ユニットの横断面図である。
【発明を実施するための形態】
【００１８】
以下、本発明の実施形態を図面に基づいて詳述する。図１〜図５は本発明をパチンコ機に採用した一実施形態を例示している。図１において、遊技機１は、矩形状の外枠２と、この外枠２の前側に開閉自在に枢着された前枠３とを備えている。前枠３の前側には、ガラス扉４と前面板５とが上下に配置され、このガラス扉４と前面板５とが前枠３に開閉自在に枢支されている。
【００１９】
前面板５には、その前側に、発射手段（図示省略）に供給するための遊技球を貯留する貯留皿６、発射手段を作動させるための発射ハンドル７等が設けられている。
【００２０】
ガラス扉４に設けられた窓孔８には例えば２枚のガラス板９（透明樹脂板等であってもよい）が嵌め込まれ、その後側には図２に示す遊技盤１１が前枠３に対して例えば前側から着脱自在に装着されている。この遊技盤１１は、図３に示すように、前面側に遊技領域１３が形成され且つ例えば透明樹脂により形成された透明な略矩形薄板状の透明盤１９（透明遊技盤）と、この透明盤１９の後側に位置して当該透明盤１９を支持するとともに後述する画像表示手段２２及び電飾ユニット４０（装飾手段、電飾手段）等が装着された前面側が略矩形状に開口した箱形状の後枠体２０（装着枠体）と、を備えている。
【００２１】
図３に示すように、後枠体２０の周縁部の所定箇所に形成された位置決めピン２０ａを透明盤１９のピン穴１９ｃに挿入した状態とすることで、透明盤１９を後枠体２０に位置決めでき、この位置決め状態において透明盤１９をネジ２０ｂにより後枠体２０にネジ止めしている。
【００２２】
遊技盤１１の前面側（つまり透明盤１９の前面側）には、発射手段から発射された遊技球を案内するガイドレール１２が環状に装着されると共に、そのガイドレール１２の内側の遊技領域１３に、センターケース１４、普通図柄始動手段１５、特別図柄始動手段１６、大入賞手段１７、普通入賞手段１８  （入賞手段）等の各種遊技部品が配置されている。なお、ガラス扉４の閉状態では、ガラス板９は、遊技盤１１の遊技領域１３に対して遊技球が流下可能な間隔（遊技球の直径よりも大きく遊技球２個分よりも小さい間隔）を空けて位置している。
【００２３】
センターケース１４は、図２に示すように、透明盤１９の略中央箇所で画像表示手段２２の表示画面２２ａに対応する大きさで前後方向に開口した装着孔１９ａに対して前側から着脱自在に装着される前構造体２１を備えている。透明盤１９の装着孔１９ａは、例えばルータ加工により形成されている。前構造体２１は、図２に示すように、正面視で外縁箇所に沿って複数配置形成された貫通孔２１ａに挿入したネジを、透明盤１９に螺入することで、前構造体２１を透明盤１９に固定している。
【００２４】
前構造体２１は、図２に示すように、装着孔１９ａに沿って配置される環状の装飾枠２４と、この装飾枠２４の下部側に沿って左右方向に配置され且つ入球口２５に入球してワープ通路（図示省略）を通って案内された遊技球を自由に転動させて前側に落下させるステージ２６とを備え、装飾枠２４上に、普通図柄表示手段２７、特別図柄表示手段２８、普通保留個数表示手段２９等が設けられている。なお、普通図柄表示手段２７、特別図柄表示手段２８又は普通保留個数表示手段２９の少なくとも一つを、装飾枠２４ではなく、画像表示手段２２において画像表示するようにしてもよいし、遊技領域１３外の所定箇所に設けるようにしてもよい。
【００２５】
また、図３に示す後枠体２０は、その箱内箇所（内側箇所）で前構造体２１の視認開口部２１ｂに対応する位置に、液晶式その他の画像表示手段２２が着脱自在に装着されるとともに、同じく箱内箇所で透明盤１９の左下部に対応する位置に、電飾ユニット４０が着脱自在に装着されている。なお、画像表示手段２２は、図２に示すように、演出図柄表示手段３５と特別保留個数表示手段３６とを備えている。この特別保留個数表示手段３６を装飾枠２４に設けるようにしてもよいし、遊技領域１３外の所定箇所に設けるようにしてもよい。
【００２６】
ところで、図２に示すように、普通図柄表示手段２７は、普通図柄を変動表示するためのもので、例えば「○」「×」の２種類の普通図柄に対応する２個の発光体（例えばＬＥＤ）により構成されており、通過ゲート等よりなる普通図柄始動手段１５が遊技球を検出することを条件にそれら２つの発光体が所定時間交互に点滅して、普通図柄始動手段１５による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００２７】
また、普通図柄表示手段２７の変動表示中、又は後述する普通利益状態中に普通図柄始動手段１５が遊技球を検出した場合には、その検出時に取得された当たり判定乱数値が予め定められた上限保留個数、例えば４個を限度として記憶されると共に、例えば上限保留個数と同数の発光体よりなる普通保留個数表示手段２９がその発光個数により当たり判定乱数値の記憶個数（以下、普通保留個数という）を表示して、その時点での普通保留個数を遊技者に報知するようになっている。
【００２８】
特別図柄始動手段１６は、特別図柄表示手段２８による図柄変動を開始させるためのもので、例えば上下２つの特別始動口１６ａ，１６ｂを備え、センターケース１４の下側等に配置されている。上側の特別始動口１６ａは開閉手段等を有しない非作動式入賞口、下側の特別始動口１６ｂは開閉手段３８により開閉可能な作動式入賞口で、普通図柄表示手段２７の変動後の停止図柄が当たり態様となって普通利益状態が発生したときに、開閉手段３８が所定時間、所定回数だけ閉状態から開状態に変化するように構成されている。
【００２９】
特別図柄表示手段２８は、１個又は複数個、例えば１個の特別図柄（遊技図柄）を変動表示可能な７セグメント式等の表示手段により構成されており、特別図柄始動手段１６の特別始動口１６ａ，１６ｂの何れかに遊技球が入賞することを条件に特別図柄を所定時間変動表示して、特別始動口１６ａ，１６ｂへの入賞時に取得された大当たり判定乱数値が予め定められた大当たり判定値と一致する場合には所定の大当たり態様で、それ以外の場合には外れ態様で停止するようになっている。
【００３０】
特別図柄には、例えば大当たり態様及び外れ態様が夫々１又は複数種類ずつ設けられている。なお、それら各態様には夫々数字図柄等を割り当ててもよいし、遊技者がその特別図柄の種類を容易に区別できないように、任意の線や点の組み合わせのような特別な意味を持たない図柄を割り当ててもよい。
【００３１】
また、特別図柄の変動表示中、又は後述する特別利益状態中に特別始動口１６ａ，１６ｂに遊技球が入賞した場合には、その入賞時に取得された大当たり判定乱数値等が夫々所定の上限保留個数、例えば各４個を限度として記憶されると共に、特別保留個数表示手段３６が大当たり判定乱数値の記憶個数  （以下、特別保留個数という）を表示して、その時点での特別保留個数を遊技者に報知するようになっている。
【００３２】
演出図柄表示手段３５は、例えば特別図柄表示手段２８による特別図柄の変動表示と並行して演出図柄を変動表示するもので、１個又は複数個、例えば左右方向に３個の演出図柄を例えば各種の演出画像と共に画像表示手段２２の表示画面２２ａに変動表示可能に構成されており、特別図柄始動手段１６の特別始動口１６ａ，１６ｂの何れかに遊技球が入賞することを条件に特別図柄の変動開始と同時に所定の変動パターンに従って演出図柄の変動を開始すると共に、特別図柄の変動停止と同時に最終停止するように、演出図柄を左、右、中等の所定の順序で停止させるようになっている。
【００３３】
また、特別保留個数表示手段３６は、特別保留個数を報知するもので、表示画面２２ａ上の所定箇所に特別保留個数分のシンボルを表示するようになっている。
【００３４】
大入賞手段１７は、遊技球が入賞可能な開状態と入賞不可能な閉状態とに切り換え可能な開閉板３９を備えた作動式入賞手段で、特別図柄表示手段２８の変動後の特別図柄が大当たり態様となることに基づいて特別利益状態が発生したときに、開閉板３９が所定の開放パターンに従って前側に開放して、その上に落下した遊技球を内部へと入賞させるようになっている。
【００３５】
普通入賞手段１８は、図３〜図５に示すように、遊技盤１１（透明盤１９）の前側に当接する前飾り部１８ａと、この前飾り部１８ａの前側に突出形成され且つ遊技球が入賞可能な入賞口１８ｂと、透明盤１９の普通入賞手段１８の配設箇所に前後方向に貫通した通路孔１９ｂに挿入され且つ入賞口１８ｂに入賞した遊技球を透明盤１９の後側に案内する球案内部１８ｃと、を備えている。この透明盤１９の通路孔１９ｂは、例えばルータ加工により形成されている。前飾り部１８ａは、図４、図５に示すように、その外縁所定箇所（例えば左右二箇所）に形成されたネジ孔１８ｄに前側からネジ１８ｅを挿入し、このネジ１８ｅを遊技盤１１（透明盤１９）にネジ止めすることで普通入賞手段１８が遊技盤１１の前面に固定されている。
【００３６】
電飾ユニット４０は、図３に示すように、後枠体２０の箱内箇所における透明盤１９の背後側で且つ普通入賞手段１８に対応する位置に配設されるとともに、前側に前面カバー４１（電飾部、装飾部）を備えるものである。
【００３７】
具体的には、この電飾ユニット４０は、透明盤１９の背後側で、且つ、透明盤１９の左側３個の普通入賞手段１８を含む当該透明盤１９の左下領域に対応する位置に配設されている。この電飾ユニット４０は、ＬＥＤ４２（発光ダイオード）を実装したＬＥＤ実装基板４３（発光手段）と、このＬＥＤ実装基板４３が内側部４４ａに装着されるベース体４４と、このベース体４４の内側部４４ａを覆うように当該ベース体４４に取り付けられ且つＬＥＤ４２からの光が背面箇所に照射される光透過性の前面カバー４１（光透過部）とを備え、ＬＥＤ４２からの光を前面カバー４１の背面箇所に照射することでその前面カバー４１の前面箇所が発光するものである。ＬＥＤ実装基板４３は、図３に示すように、ベース体４４の内側部４４ａにネジ４３ａによりネジ止めされている。
【００３８】
この前面カバー４１は、光透過性の有色樹脂により形成され、図２に示すように、例えば略台形状で所定の装飾表示態様（複数の星形をちりばめた模様）が施されたものとしている。なお、この前面カバー４１は、前述以外の所定の装飾表示態様（例えば、当該パチンコ機の遊技盤１１などに対応した形状、模様、色彩又はこれらの結合）で成形されたものとしてもよい。
【００３９】
また、ＬＥＤ実装基板４３の配線（図示省略）は、電飾ユニット４０の背面側に形成された配線用開口部（図示省略）から引き出されて当該電飾ユニット４０の背面側に沿って敷設されて後述するサブ制御基板に接続されており、ＬＥＤ実装基板４３の配線も前面カバー４１の背後に隠れている。
【００４０】
前面カバー４１は、その後面全体に微小凹凸が形成されており、当該背面箇所への入射光が微小凹凸により拡散して進入することで当該前面カバー４１の前面全体が面状発光するようになっている。なお、前面カバー４１の前面全体や前面及び後面全体に微小凹凸を形成し、かかる微小凹凸により光が拡散されて当該前面カバー４１の前面全体が面状に発光するようにしてもよい。また、前面カバー４１を、光拡散粒子を含む有色樹脂成形品とすることによってもその前面全体を面状発光させるようにしてもよい。
【００４１】
電飾ユニット４０は、図３〜図５に示すように、前面カバー４１よりも後側に位置し且つ普通入賞手段１８からの遊技球を排出案内する球排出通路５０を備えている。この球排出通路５０は、図４に示すように、電飾ユニット４０の背面箇所（具体的にはベース体４４の背面箇所）に例えばネジ４４ｆによりネジ止めされている。
【００４２】
また、電飾ユニット４０は、図３に示すように、球排出通路５０の入口部５１を普通入賞手段１８の球案内部１８ｃの後端口１８ｆに合わせて、普通入賞手段１８からの遊技球が球排出通路５０の入口部５１に入球される位置関係となる状態で、後枠体２０の箱内箇所に取り付けられている。なお、球排出通路５０を、電飾ユニット４０（ベース体４４及び前面カバー４１の少なくとも一方）に対して、ネジなどの締結固定ではなく、係止固定、嵌合固定、スライド固定、接着固定など各種の方式で固定するようにしてもよい。
【００４３】
また、電飾ユニット４０は、図３、図４に示すように、普通入賞手段１８の球案内部１８ｃ及び球排出通路５０の入口部５１が挿入される貫通部４０ａを、普通入賞手段１８に対応する各位置にそれぞれ備えている。つまり、前面カバー４１、ＬＥＤ実装基板４３及びベース体４４は、貫通部４０ａを構成する開口部がそれぞれ形成されている。
【００４４】
球排出通路５０は、図３に示すように、電飾ユニット４０の後側に位置しており、普通入賞手段１８からの遊技球を検出する入賞検出センサ５３（例えば磁気センサ）を備えている。つまり、この球排出通路５０のみならずその入賞検出センサ５３も電飾ユニット４０の前面カバー４１の背後に隠れている。また、入賞検出センサ５３の配線は、電飾ユニット４０の背面側に沿って（球排出通路５０の背面側、側面側等に沿わせてもよい）敷設されて後述する主制御基板（図示省略）に接続されているため、この入賞検出センサ５３の配線も前面カバー４１の背後に隠れている。
【００４５】
遊技機１は、遊技動作を統括的に制御する主制御基板（図示省略）と、この主制御基板からの各種の制御コマンドに基づいて、画像表示手段２２の表示制御（例えば演出図柄表示手段３５の表示制御など）及び電飾ユニット４０の発光制御などを行うサブ制御基板（図示省略）と、主制御基板からの払出信号（払出コマンド）に基づいて遊技球の払い出し制御を行う払出制御基板（図示省略）とを備えている。
【００４６】
普通入賞手段１８の入賞検出センサ５３で遊技球が検出されると、その入賞検出信号が主制御基板に出力され、主制御基板は入賞検出信号に基づいて払出制御基板に払出コマンドを出力する。払出制御基板は、主制御基板からの払出コマンドに基づいて所定数の遊技球の払い出すように、遊技球を払い出す払出装置（図示省略）を駆動制御する。
【００４７】
なお、サブ制御基板は、画像表示手段２２の表示内容に応じて、ガラス扉４に配設されたスピーカ  （図示省略）の音出力口１０から所定の音声（声、音楽、効果音など各種の音）を出力する制御も行うものとしてもよい。
【００４８】
例えば、サブ制御基板は、電飾ユニット４０を発光制御しており、遊技演出内容に同期（対応）して、電飾ユニット４０のＬＥＤ実装基板４３の各ＬＥＤ４２からの光で当該電飾ユニット４０の前面カバー４１が発光するようになっている。この遊技演出内容としては、例えば、演出図柄表示手段３５における演出図柄の変動表示を特定する変動パターンの種類、大入賞手段１７を所定の開放パターンに従って開放する特別利益状態の発生、特別利益状態発生後の所定期間に遊技者に有利な特別遊技状態（時短状態、確変状態など）の発生などが挙げられる。
【００４９】
この実施形態では、遊技球が流下する遊技領域１３を有し且つ当該遊技領域１３の所定箇所（本実施形態では左下箇所）に前後方向に貫通した通路孔１９ｂを有する透明盤１９を備えるパチンコ機（遊技機）において、遊技領域１３の通路孔１９ｂ箇所に配設され且つ遊技球が入賞可能で当該入賞球を透明盤１９の背後側に案内する普通入賞手段１８と、透明盤１９の背後側で且つ普通入賞手段１８に対応する位置に配設されるとともに前側に前面カバー４１が配設された電飾ユニット４０と、この電飾ユニット４０における前面カバー４１の後側に位置し且つ普通入賞手段１８からの遊技球を排出案内する球排出通路５０と、を備えている。
【００５０】
したがって、前側に前面カバー４１が形成された電飾ユニット４０を、透明盤１９の背後側で普通入賞手段１８に対応する位置に配設し、この前面カバー４１の後側に球排出通路５０を位置させているので、普通入賞手段１８に入賞して透明盤１９の背後側に案内された遊技球を、電飾ユニット４０における前面カバー４１の後側の球排出通路５０を通って排出案内することができ、透明盤１９背後の排出案内球を隠すことができ、遊技領域１３を流下する遊技球を見易くすることができる。また、透明盤１９の背後側の電飾ユニット４０で球排出通路５０を隠すことができ、球排出通路５０が見えることによる見栄えの悪さを解消できるとともに、透明盤１９を介してその背後の電飾ユニット４０が視認可能であり、かかる電飾ユニット４０の前面カバー４１によって透明遊技盤のデザイン性を向上させることができる。
【００５１】
また、電飾ユニット４０の前面カバー４１は、ＬＥＤ実装基板４３からの光で発光装飾される電飾部であるので、透明盤１９背後の排出案内球を前面カバー４１（電飾部）で隠すことができ、遊技領域１３を流下する遊技球を見易くすることができる。また、透明盤１９の背後側の電飾手段で球排出通路５０を隠すことができ、球排出通路５０が見えることによる見栄えの悪さを解消できるとともに、前面カバー４１（電飾部）によって透明遊技盤のデザイン性を向上させることができる。さらに、透明盤１９と前面カバー４１との間に球排出通路５０を位置させないので、前面カバー４１（電飾部）からの光が球排出通路５０で乱反射し、前面カバー４１（電飾部）の発光が球排出通路５０で阻害されるようなこともない。
【００５２】
また、透明盤１９の背面側に位置し当該透明盤１９が装着される後枠体２０を備え、後枠体２０は、電飾ユニット４０及び球排出通路５０を備えているので、透明盤１９に電飾ユニット４０及び球排出通路５０を固定するための固定手段（例えば、ネジなどによる締結手段や、嵌合ピンによる嵌合手段など各種の固定手段）を設ける必要がなく、透明盤１９への配設負担を低減できる。
【００５３】
また、球排出通路５０は遊技球を検出する入賞検出センサ５３を備え、当該球排出通路５０が前面カバー４１で隠されているので、入賞検出センサ５３の配設位置を分からないようにでき、入賞検出センサ５３を狙った不正行為を低減することができる。
【００５４】
次に、図６及び図７を用いて本発明の第２の実施形態を例示する。前述した第１の実施形態では図３及び図４に示すように横断面視でロの字状の球排出通路５０を電飾ユニット４０の背面に取り付けているが、この第２の実施形態では、横断面視でコの字状の通路外形体５４を電飾ユニット４０の背面に取り付けてこの通路外形体５４と電飾ユニット４０の背面とで遊技球の排出通路を形成する点が、前述した第１の実施形態とは異なっている。他の構成は第１の実施形態と同様である。
【００５５】
第２の実施形態の遊技球の排出通路は、電飾ユニット４０のベース体４４の背面所定箇所を囲う、横断面視でコの字状の通路外形体５４（囲い部材）を当該ベース体４４の背面に取り付けることで、この通路外形体５４とベース体４４の背面との間に、遊技球が流下可能な球通路空間を形成するものである。通路外形体５４は、図７に示すように、その側壁部の外側に向けて突出形成された、ベース体４４に当接する取り付け部５５を備えており、この取り付け部５５をベース体４４に当接させた状態とし、この取り付け部５５に形成されたネジ孔５５ａに挿入されたネジ５５ｂをベース体４４に螺入することで、ベース体４４の背面箇所に通路外形体５４が取り付けられている。こうすることで、通路外形体５４とベース体４４の背面との間に、遊技球が流下可能な球通路空間が形成されている。
【００５６】
この第２の実施形態では、ベース体４４の背面に通路外形体５４を取り付けることで遊技球の排出通路が形成されるので、電飾ユニット４０を遊技球の排出通路の少なくとも前面壁として利用することができ、前面壁を有する前述の第１の実施形態のような球排出通路５０（球排出通路ユニット）を電飾ユニット４０の背面に取り付ける場合に比べて、遊技球の排出通路の奥行きを小さくすることができ、遊技球の排出通路の後側に各種の制御基板等（主制御基板、サブ制御基板、払出制御基板、中継基板又は電源基板など）を備える透明遊技盤全体の奥行きを小さくすることができる。また、電飾ユニット４０はその背後に通路外形体５４が取り付けられているので、電飾ユニット４０の剛性を高めることができる。
【００５７】
次に、図８〜図１０を用いて本発明の第３の実施形態を例示する。前述した第１の実施形態では図２に示すように電飾ユニット４０の後側に球排出通路５０を備える構成を例に挙げて説明しているが、この第３の実施形態では、第１の実施形態の電飾ユニット４０に替えて、内部に球排出通路５０が形成された可動役物６０を備える構成としている点が、前述した第１の実施形態とは異なっている。他の構成は第１の実施形態と同様である。
【００５８】
可動役物６０は、図８に示すように、透明盤１９の背後側で且つ普通入賞手段１８に対応する位置となるように後枠体２０の箱内箇所に配設され、その一部である可動体部６１が可動するものである。具体的には、可動役物６０は、透明盤１９に対して固定的位置関係となるように後枠体２０の箱内箇所に取り付けられ且つ球排出通路５０を有する固定側役物部６２（固定側体）と、透明盤１９に対して変位可能に固定側役物部６２に支持された可動体部６１（可動部）と、固定側役物部６２に配設され且つ可動体部６１を変位させる変位機構６３とを備えている。
【００５９】
可動体部６１は、例えば「龍の頭」を象った形態の頭部６１ａと、この頭部６１ａの下端奥側箇所から下方向に延出した、「龍の胴」を象った形態の胴体部６１ｂとを備えている。なお、可動体部６１は、固定側役物部６２ではなく、後枠体２０の箱内箇所に取り付けるようにして、透明盤１９に対して変位可能としてもよい。
【００６０】
固定側役物部６２は、図９及び図１０に示すように、その内部箇所に、普通入賞手段１８からの遊技球を排出案内する球排出通路５０を備えている。固定側役物部６２は、図９に示すように、球排出通路５０の入口部５１を普通入賞手段１８の球案内部１８ｃの後端口１８ｆに合わせて、普通入賞手段１８からの遊技球が入口部５１に入球される位置関係となる状態で、後枠体２０の箱内箇所に取り付けられている。
【００６１】
また、この可動役物６０は、その前側に装飾体６４（装飾部）が形成されている。つまり、固定側役物部６２及び可動体部６１の前側に装飾体６４が設けられている。この装飾体６４は、例えば所定の装飾（色彩、模様又はこれらの結合が挙げられる）が施された有色で不透明な部材（立体的部品、プレート、シート、シール、フィルムなど）が挙げられる。
【００６２】
この実施形態では、可動体部６１の頭部６１ａの装飾体６４は、例えば「龍の頭」を表したものとし、胴体部６１ｂの装飾体６４は、例えば「龍の胴」を表したものとし、固定側役物部６２の装飾体６４は、例えば「濃い雲が渦巻いた背景」を表したものとしている。
【００６３】
なお、この第３の実施形態では、可動役物６０の前側に装飾体６４を形成しているが、その上面、左側面、右側面、底面、背面などが見える場合には当該見える面にも装飾体６４を形成するようにしてもよい。また、可動役物６０が変位動作することで、通常状態では遊技者から見えない隠し面（例えば、上面、左側面、右側面、底面、背面など）を遊技盤１１側に向けて当該隠し面を視認可能となる場合には、当該隠し面にも装飾体６４を設けるようにしてもよい。
【００６４】
変位機構６３は、図９に示すように、可動体部６１を、透明盤１９の背面側で且つ入賞口１８ｂの高さ位置に近い下部位置（図９に二点鎖線で示す可動体部６１を参照）と、透明盤１９の背面側で且つ下部位置よりも高い上部位置（図９に実線で示す可動体部６１を参照）と、に変位させるものである。
【００６５】
具体的には、変位機構６３は、図９に示すように、固定側役物部６２に取り付けられたステッピングモータ６５と、このステッピングモータ６５の回転軸先端に結合されたピニオン６６と、このピニオン６６と噛合し且つ可動体部６１（例えば胴体部６１ｂ）に取り付けられた当該可動体部６１の変位方向に長いラック６７と、可動体部６１の上下変位をガイドするガイド部材（図示省略）とを備えている。このガイド部材としては、例えば、可動体部６１の胴体部６１ｂの両側辺を、固定側役物部６２の背面側に上下方向に形成された一対の支持片で上下方向に案内可能に保持する構成が挙げられる。
【００６６】
ステッピングモータ６５の回転軸が正転するとその先端のピニオン６６も正転し、ラック６７が上方向に移動することで可動体部６１が上方向に移動する。これとは逆に、ステッピングモータ６５の回転軸が反転するとその先端のピニオン６６も反転し、ラック６７が下方向に移動することで可動体部６１が下方向に移動する。
【００６７】
また、この変位機構６３は、可動体部６１の位置を検出する図示省略の位置検出センサ（位置検出手段、例えば透過型フォトインタラプタ）を備えており、可動体部６１を下部位置（入賞口１８ｂに近い位置）と上部位置（下部位置よりも高い位置）とに正確に位置させることができる。また、ステッピングモータ６５をステップ制御することにより、下部位置と上部位置との間の任意の位置にも正確に位置させることができる。
【００６８】
この変位機構６３は、例えばサブ制御基板（主制御基板や他の制御基板であってもよい）によって駆動制御されており、遊技演出内容（例えば、変動パターンの種類、特別利益状態の発生、特別遊技状態の発生など）に同期（対応）して可動体部６１の駆動が行われる。
【００６９】
例えば、所定の変動パターン（例えばスーパーリーチ）の場合には、画像表示手段２２の演出図柄表示手段３５おける当該変動の開始期間（例えば演出図柄の変動開始からリーチ状態になるまでの期間など）において可動体部６１が下部位置から上部位置に向けて上昇する。続いて、前記開始期間後の所定期間（例えば、リーチ後の表示演出期間）に、可動体部６１が上部位置と中間位置（下部位置と上部位置との間の位置）とで上下往復移動し、かかるリーチ表示演出を盛り上げる。続いて、最後の演出図柄の停止期間において当り図柄で揃った場合には、可動体部６１がさらに高速で上下動し、外れ図柄で停止した場合には可動体部６１が下部位置に戻る。このように、演出図柄の変動表示に同期（連動）させて可動体部６１の駆動制御することが一例として挙げられる。
【００７０】
この第３の実施形態では、可動役物６０は、その一部が可動し且つ前側に装飾体６４が形成されているので、透明盤１９背後の排出案内球を可動役物６０の装飾体６４で隠すことができ、遊技領域１３を流下する遊技球を見易くすることができる。また、透明盤１９の背後側の可動役物６０の装飾体６４で球排出通路５０を隠すことができ、球排出通路５０が見えることによる見栄えの悪さを解消できるとともに、可動役物６０によって透明遊技盤のデザイン性を向上させることができる。
【００７１】
また、可動役物６０は、球排出通路５０を有し且つ透明盤１９に対して固定的位置関係にある固定側役物部６２と、透明盤１９に対して変位可能に固定側役物部６２に支持された可動体部６１と、を備え、固定側役物部６２及び可動体部６１は、その少なくとも前側に装飾体６４が形成されている。つまり、透明盤１９に対して固定的位置関係の固定側役物部６２に球排出通路５０を備えているので、可動体部６１の動作有無に関係なく普通入賞手段１８からの遊技球を球排出通路５０の入口部５１に導くことができ、確実に排出案内することができる。また、可動体部６１は、透明盤１９に対して変位可能に固定側役物部６２に支持されているので、可動体部６１を透明盤１９に対して変位動作させることができ、可動役物６０の可動体部６１の変位動作と、可動体部６１及び固定側役物部６２の装飾体６４とによって透明遊技盤のデザイン性を向上させることができる。
【００７２】
次に、図１１を用いて本発明の第４の実施形態を例示する。前述した第３の実施形態では図９に示すように可動体部６１に装飾体６４を備える構成を例に挙げて説明しているが、この第４の実施形態では、装飾体６４に替えて前面電飾カバー６９（電飾部）を備えている点が、前述した第３の実施形態とは異なっている。他の構成は第３の実施形態と同様である。
【００７３】
可動体部６１の頭部６１ａは、図１１に示すように、電飾手段７１を備えている。この電飾手段７１は、ＬＥＤ実装基板４３と、前側が開口した箱形状で且つＬＥＤ実装基板４３がその箱内箇所に装着される後側ケース部６８と、この後側ケース部６８の開口を塞ぐように取り付けられ且つ光透過性の有色樹脂によって形成された前面電飾カバー６９と、を備えている。前面電飾カバー６９は、その後面全体に微小凹凸が形成されており、当該背面箇所への入射光が微小凹凸により拡散して進入することで当該前面電飾カバー６９の前面全体が面状発光するようになっている。なお、前面電飾カバー６９の前面全体や前面及び後面全体に微小凹凸を形成し、かかる微小凹凸により光が拡散されて当該前面電飾カバー６９の前面全体が面状に発光するようにしてもよい。また、前面電飾カバー６９を、光拡散粒子を含む有色樹脂成形品とすることによってもその前面全体を面状発光させるようにしてもよい。
【００７４】
可動体部６１は、透明盤１９の背後側で且つ普通入賞手段１８と正面視で重なる重複位置（図１１の実線で示す可動体部６１の頭部６１ａを参照：第１位置）と、この重複位置とは異なる位置であって透明盤１９の背後側で且つ球排出通路５０と重ならない露出位置（図１１の二点鎖線で示す可動体部６１の頭部６１ａを参照：第２位置）と、に変位機構６３によって変位可能であり、重複位置では前面電飾カバー６９（電飾部）からの光で当該普通入賞手段１８を発光させるようになっている。
【００７５】
この第４の実施形態では、可動役物６０の可動体部６１が重複位置に位置する場合には、当該可動体部６１の前面電飾カバー６９からの光で普通入賞手段１８を発光させることができ、可動体部６１が露出位置に位置する場合には、普通入賞手段１８以外の箇所に変位した前面電飾カバー６９の発光態様を、透明盤１９を介して見せることができる。よって、透明遊技盤のデザイン性を向上させることができる。
【００７６】
この第４の実施形態では、可動役物６０の可動体部６１を普通入賞手段１８の背後側に位置させて当該可動体部６１の前面電飾カバー６９からの光で普通入賞手段１８を発光させているが、普通図柄始動手段１５、特別図柄始動手段１６、大入賞手段１７又はステージ２６の背後側に位置させて当該可動体部６１の前面電飾カバー６９からの光で発光させるようにしてもよい。
【００７７】
次に、図１２及び図１３を用いて本発明の第５の実施形態を例示する。前述した第３の実施形態では、図９に示すように、可動役物６０の一部が可動する（つまり可動役物６０を構成する固定側役物部６２及び可動体部６１のうち当該可動体部６１が変位する）構成を例に挙げて説明しているが、この第５の実施形態では、可動役物６０自体が変位可能としている点が、前述した第３の実施形態とは異なっている。他の構成は第３の実施形態と同様である。
【００７８】
可動役物６０は、図１２及び図１３に示すように、球排出通路５０を内部に有し且つ少なくとも前側に装飾体６４が形成された本体部７０と、本体部７０を透明盤１９に対して変位させる変位機構６３と、を備えている。本体部７０は後枠体２０に可動可能に支持され、変位機構６３も後枠体２０に配設されている。この変位機構６３は、図１２に破線で示すように、後枠体２０に取り付けられたステッピングモータと、このステッピングモータの回転軸先端のピニオンと、このピニオンと噛合し且つ本体部７０に取り付けられた当該可動役物６０の変位方向に長いラックとの構成が挙げられる。
【００７９】
本体部７０は、当該球排出通路５０の入口であって透明盤１９側に開口した入口部５１を普通入賞手段１８に位置させることでこの普通入賞手段１８からの遊技球が入賞可能であるとともに、その入口部５１を変位機構６３による変位方向に対応した形状（ここでは上下方向に長い長入口部）とすることで、本体部７０が上下変位する場合も普通入賞手段１８からの遊技球が入賞可能となっている。また、この本体部７０は、その少なくとも前側と入口部５１とに装飾体６４が形成されている。
【００８０】
この第５の実施形態では、可動役物６０の本体部７０の内部に球排出通路５０を備え、その入口部５１が普通入賞手段１８に位置するとともに変位機構６３による上下変位方向に対応した形状とすることで本体部７０の上下変位の場合にも普通入賞手段１８からの遊技球が入賞可能であるので、本体部７０の上下動作有無に関係なく普通入賞手段１８からの遊技球を球排出通路５０に導くことができ、確実に排出案内することができる。また、この可動役物６０は、その本体部７０が変位機構６３によって上下変位動作され、可動役物６０の本体部７０の上下変位動作と、本体部７０の装飾体６４によって透明遊技盤のデザイン性を向上させることができる。また、本体部７０が上下変位することでその入口部５１が透明盤１９を介して視認可能な状態となっても、本体部７０の入口部５１には装飾体６４が設けられているので、遊技盤のデザイン性が劣ることを低減できる。
【００８１】
なおこの実施形態では、可動役物６０自体が透明盤１９に対して上下変位する構成としているため、当該可動役物６０の球排出通路５０の入口部５１を上下方向に長い形状としているが、可動役物６０自体を透明盤１９に対して例えば円弧変位する場合には球排出通路５０の入口部５１を円弧状に長い長入口部とすることで、可動役物６０自体の円弧変位動作の有無に関係なく普通入賞手段１８からの遊技球を球排出通路５０に導くことができ、確実に排出案内することができる。また、この可動役物６０は、その本体部７０が変位機構６３によって円弧変位動作され、可動役物６０の本体部７０の円弧変位動作と、本体部７０の装飾体６４によって透明遊技盤のデザイン性を向上させることができる。また、本体部７０が円弧変位することでその入口部５１が透明盤１９を介して視認可能な状態となっても、本体部７０の入口部５１には装飾体６４が設けられているので、遊技盤のデザイン性が劣ることを低減できる。
【００８２】
また、図１４に示すように、可動役物６０自体（つまり本体部７０）を普通入賞手段１８の前飾り部１８ａの範囲内で変位させることで、その本体部７０の球排出通路５０の入口部５１が入賞口１８ｂの前飾り部１８ａに隠れたままで露出しないようにしてもよい。
【００８３】
具体的には、可動役物６０の本体部７０における球排出通路５０の入口部５１は、変位機構６３による変位方向に対応した形状（ここでは上下方向に長い長入口部）で且つ普通入賞手段１８の前飾り部１８ａにおける変位方向長さよりも短くしている。
【００８４】
こうすることで、可動役物６０自体を狭い変位幅（図１４（ｂ）に矢印で示す変動幅）で振動をさせることができ、透明盤１９の背後で振動する可動役物６０を見せることができる。また、この可動役物６０の振動状態においても、普通入賞手段１８からの遊技球を当該可動役物６０の球排出通路５０に導くことができ、確実に排出案内することができる。
【００８５】
次に、図１５を用いて本発明の第６の実施形態を例示する。前述した第１，第２の実施形態では、図３，図６に示すように、電飾ユニット４０の背面に球排出通路５０を備えているが、この第６の実施形態では、電飾ユニット４０の内部に球排出通路５０を形成している点が、前述した第１，第２の実施形態とは異なっている。他の構成は第１，第２の実施形態と同様である。
【００８６】
電飾ユニット４０は、図１５に示すように、前面カバー４１と、この前面カバー４１の背面側であるベース体４４の内側に球通路空間を形成する内部通路部４４ｂ（通路形成部）とを備えている。具体的には、ベース体４４の内側部４４ａでＬＥＤ実装基板４３との間に球通路空間を形成する内部通路部４４ｂを備えている。つまり、電飾ユニット４０の内部に内部通路部４４ｂが形成されている。この内部通路部４４ｂは、左壁面４４ｃ、右壁面４４ｄ及び前壁面４４ｅからなる周壁部４５を備えている。
【００８７】
なお、図１５に示すように、ベース体４４の背面左端部及び右端部の各箇所には、ネジ４６ｂを挿入するための貫通孔４６ａが形成され且つ前面側に向けて窪んだ窪み部４６が形成されており、ベース体４４の背面側から窪み部４６の貫通孔４６ａに挿入されたネジ４６ｂを前面カバー４１に螺入することで、前面カバー４１とベース体４４とが組み付けられている。
【００８８】
この第６の実施形態では、電飾ユニット４０は、前面カバー４１と、この前面カバー４１の背面側に球通路空間を形成する内部通路部４４ｂと、を備え、この電飾ユニット４０の内部通路部４４ｂを球排出通路５０としているので、電飾ユニット４０に別体の球排出通路５０を取り付ける必要がなく、部品点数を低減することができ、遊技盤の組み立て作業性を改善することができる。また、電飾ユニット４０はその背面箇所であるベース体４４に内部通路部４４ｂを構成する周壁部４５を備えているので、電飾ユニット４０の剛性を高めることができる。
【００８９】
以上、本発明の実施形態について詳述したが、本発明はこれらの実施形態に限定されるものではなく、本発明の趣旨を逸脱しない範囲で種々の変更が可能である。
【００９０】
なお、前述した各実施形態では、遊技盤１１は、例えば透明樹脂により形成される透明樹脂製で全体が透明としたものとしているが、少なくとも遊技領域１３箇所を透明樹脂製の透明盤とし、それ以外の箇所が不透明体（例えば、不透明樹脂製のものや、合板（ベニヤ板）により形成される木製のものなど）とした一部透明遊技盤としてもよい。
【００９１】
また、前述の実施形態では、電飾ユニット４０は、透明盤１９の背後側で、且つ、遊技盤１１の左側３個の普通入賞手段１８を含む、透明盤１９の左下領域に対応する位置に配設されたものとしているが、遊技盤１１の普通図柄始動手段１５、特別図柄始動手段１６、大入賞手段１７及び普通入賞手段１８の少なくとも一つを含む、透明盤１９の所定領域に対応する位置に配設されたものとしてもよい。
【００９２】
具体的には、特別図柄始動手段１６を含む、透明盤１９の中央下部領域に対応する位置に配設されたものとしてもよい。また、遊技盤１１の右側の普通入賞手段１８及び大入賞手段１７を含む、透明盤１９の右下領域に対応する位置に配設されたものとしてもよい。また、普通入賞手段１８、特別図柄始動手段１６及び大入賞手段１７を含む、透明盤１９の下部全域に対応する位置に配設されたものとしてもよい。また、特別図柄始動手段１６と大入賞手段１７とが遊技領域１３の中央下部箇所に上下に配設された遊技盤１１の場合に、特別図柄始動手段１６及び大入賞手段１７を含む、透明盤１９の中央下部領域に対応する位置に配設されたものとしてもよい。また、普通図柄始動手段１５が遊技領域１３に配設された遊技盤１１の場合に、普通図柄始動手段１５を含む、透明盤１９の所定領域に対応する位置に配設されたものとしてもよい。
【００９３】
また、前述の実施形態では、電飾ユニット４０としては、ＬＥＤ実装基板４３（発光手段）と、このＬＥＤ実装基板４３のＬＥＤ４２からの光が照射される前面カバー４１（光透過部）と、を備え、この前面カバー４１に所定の装飾表示態様（例えば複数の星形をちりばめた模様）を施した構成を例に挙げて説明しているが、前面カバー４１の装飾表示態様としては、当該前面カバー４１の前面や後面に所定の形状、模様、色彩又はこれらの結合したものを形成するようにしてもよいし、所定の模様や色彩を施した光透過性の別部材（例えば、光透過性のシート体やシール体や装着部材など）を前面カバー４１に取り付けるようにしてもよい。
【００９４】
また、前述の第３，第５の実施形態では、可動役物６０に装飾体６４を備えたものとしているが、前述の第１，第２の実施形態などの電飾ユニット４０（電飾部）を、第３の実施形態の可動役物６０の固定側役物部６２及び可動体部６１の少なくとも前側や、第５の実施形態の可動役物６０の本体部７０の少なくとも前側に備えるようにしてもよい。
【００９５】
具体的には、サブ制御基板（主制御基板や他の制御基板であってもよい）は、変位機構６３を制御して可動役物６０を駆動制御するとともに、電飾ユニット４０を発光制御するものであり、遊技演出内容（例えば、変動パターンの種類、特別利益状態の発生、特別遊技状態の発生など）に同期（対応）して可動役物６０の可動体部６１（第３の実施形態の場合）や可動役物６０の本体部７０（第５の実施形態の場合）の駆動及び電飾ユニット４０の発光を行うようにしてもよい。
【００９６】
例えば、所定の変動パターン（例えばスーパーリーチ）の場合には、画像表示手段２２の演出図柄表示手段３５おける当該変動の開始期間（例えば演出図柄の変動開始からリーチ状態になるまでの期間など）において、可動役物６０の電飾ユニット４０が第１発光態様（例えば点滅間隔が長い発光）で発光するとともに、可動体部６１や本体部７０が下部位置から上部位置に向けて上昇する。続いて、前記開始期間後の所定期間（例えば、リーチ後の表示演出期間）に、可動体部６１が上部位置と中間位置（下部位置と上部位置との間の位置）とで上下往復移動するとともに、可動役物６０の電飾ユニット４０が第２発光態様（例えば、点滅間隔が短い発光）で発光し、かかるリーチ表示演出を可動役物６０の駆動及び電飾ユニット４０の発光で盛り上げる。続いて、最後の演出図柄の停止期間において当り図柄で揃った場合には、可動体部６１がさらに高速で上下動し、可動役物６０の電飾ユニット４０が第３発光態様（例えば連続点灯）で発光し、外れ図柄で停止した場合には可動役物６０の電飾ユニット４０が消灯し、可動体部６１が下部位置に戻る。このように、演出図柄の変動表示に同期（連動）させて可動体部６１の駆動制御及び発光制御することが一例として挙げられる。なお、第１〜第３発光態様としては、発光色、発光輝度、発光時間（点滅を含む）又はそれらの組み合わせなど各種の態様を採用してもよい。
【００９７】
前述した各実施形態では、サブ制御基板（図示省略）はＬＥＤ実装基板４３のＬＥＤ４２を発光（電飾）制御しているが、遊技動作を統括的に制御し且つサブ制御基板を制御する主制御基板（図示省略）が発光（電飾）制御してもよい。
【００９８】
また、前述の実施形態及び変形例では、電飾ユニット４０又は可動役物６０の電飾部はＬＥＤ実装基板４３のＬＥＤ４２を例に挙げているが、各種のランプやＥＬ（エレクトロルミネセンス）ランプを採用してもよい。
【００９９】
また本発明は、アレンジボール機、雀球遊技機等の他の遊技機においても同様に実施することが可能である。
【０１００】
また、上述した複数の実施形態（変形例を含む）のうちいくつかを組み合わせた構成としてもよいし、ある実施形態の一部の手段等（手段、構成、装置、部品、機能、要素、処理ステップ、工程又はこれらの結合）を他の実施形態（いくつかの実施形態を組み合わせたものを含む）に組み合わせた構成としてもよいし、ある実施形態の一部の手段等と他の実施形態における一部の手段等とを組み合わせた構成としてもよいし、ある実施形態の一部の手段等を削除した構成としてもよい。
【符号の説明】
【０１０１】
１３    遊技領域
１８    普通入賞手段（入賞手段）
１９    透明盤（透明遊技盤）
１９ｂ  通路孔（開口）
２０    後枠体（装着枠体）
４０    電飾ユニット（装飾手段、電飾手段）
４１    前面カバー４１（電飾部、装飾部、光透過部）
４３    ＬＥＤ実装基板（発光手段）
４４    ベース体（球排出通路）
４４ｂ  内部通路部（通路形成部）
５０    球排出通路
５１    入口部
５３    入賞検出センサ（検出手段）
５４    通路外形体（囲い部材、球排出通路）
６０    可動役物
６１    可動体部（可動部）
６２    固定側役物部（固定側体）
６３    変位機構（変位手段）
６４    装飾体（装飾手段、装飾部）
６９    前面電飾カバー（電飾部、光透過部）
７０    本体部
７１    電飾手段
【図１】
2014083226.tif 000003
【図２】
2014083226.tif 000004
【図３】
2014083226.tif 000005
【図４】
2014083226.tif 000006
【図５】
2014083226.tif 000007
【図６】
2014083226.tif 000008
【図７】
2014083226.tif 000009
【図８】
2014083226.tif 000010
【図９】
2014083226.tif 000011
【図１０】
2014083226.tif 000012
【図１１】
2014083226.tif 000013
【図１２】
2014083226.tif 000014
【図１３】
2014083226.tif 000015
【図１４】
2014083226.tif 000016
【図１５】
2014083226.tif 000017